【事件の表示】
　平成　３年特許願第　８３６２５号「パチンコ機用人体接触検知回路」拒絶査定に対する審判事件［平成　４年１０月２０日出願公開、特開平　４−２９５３８２］について、次のとおり審決する。
【結　論】
　本件審判の請求は、成り立たない。
【理　由】
１．手続の経緯・本願発明　　　　　　　　　　　　　　　　　　　　　
　本願は、平成３年３月２３日に出願された特許出願であって、本願の発明は、平成１３年１０月２９日付け手続補正書により補正された明細書及び図面の記載からみて、その特許請求の範囲の請求項１に記載された次のとおりのものと認められる。　　　
「【請求項１】　パチンコ機に設けられ、発振回路と、前記発振回路の発振状況に応じてオン・オフ制御されるスイッチング回路と、前記発振回路に接続され、人体が触れられたときに前記発振回路の発振のエネルギーを人体側に逃がす人体接触用端子とを有するパチンコ機用人体接触検知回路において、前記発振回路と人体接触用端子との間のラインに抵抗器を設け、前記人体接触用端子に人体が触れられたときにおける該抵抗器による前記発振のエネルギーの消費により前記発振回路の発振を停止させるとともに、前記ラインと電源ラインおよび接地ラインとの間に２素子直列のダイオードアレイを設け、前記ライン上の前記抵抗器と２素子直列のダイオードアレイとの間にコンデンサを設けたことを特徴とするパチンコ機用人体接触検知回路。」（以下、「本願発明」という。）　　　　    　　　　　　　　　　　　　　　　　　　　　　　　　　　　
２．引用刊行物に記載された発明　　　　　　　　　　　　　
　原審における拒絶の理由に引用された特開昭６２−１３９６８４号公報（以下、「引用刊行物」という）には以下の発明が記載されている。
a．「本発明は、パチンコ遊技機の発射装置に関する。」（第１頁左下欄第１５行）
b．「発射装置の電気回路部・・・は電源回路６０，発振回路７０及びモータ駆動回路８０より成る。電源回路６０は、外部から供給される交流電圧をダイオード６１にて半波整流し、コンデンサ６２でこれを平滑して回路７０，８０に直流電圧を供給するように構成されている。発振回路７０は、トランジスタ７１とコンデンサ７２，７３とで構成されるコルピッツ発振回路を含み、その発振出力をコンデンサ７４を介してモータ駆動回路８０に供給する一方、コンデンサ７５を介してタッチスイッチ１５に接続されており、遊技者がハンドル１に触れてスイッチ１５がオン作動すると発振が停止するようになっている。モータ駆動回路８０は、ブリッジ整流用ダイオ−ド８１〜８４を介して直流を供給されるモータ駆動用サイリスタ８５を含み、サイリスタドライブ用スイッチングトランジスタ８６のベースに発振回路７０からの発振入力があればサイリスタ８５がターンオフされる一方、発振入力消滅時にはサイリスタ８５が導通して発射モータ２を駆動するものである。」（第２頁右下欄第３行−第３頁左上欄第３行）
c．「遊技者はハンドル１に触れており、タッチスイッチ１５がオン作動して発振回路７０は発振停止し、導通したモータ駆動回路８０のスイッチングトランジスタ８６を介してゲート信号を供給されてサイリスタ８５が導通しているので、発射モータ２が励起される。」（第３頁右上欄第１−６行）
　上記記載（a．ないしc．）より、引用刊行物には以下の発明（以下、「引用発明」という）が記載されていると認められる。
「電源回路６０，発振回路７０及びモータ駆動回路８０より成り、電源回路６０は外部から供給される交流電圧をダイオード６１にて半波整流し、コンデンサ６２でこれを平滑して回路７０，８０に直流電圧を供給するように構成されており、発振回路７０はトランジスタ７１とコンデンサ７２，７３とで構成されるコルピッツ発振回路を含み、その発振出力をコンデンサ７４を介してモータ駆動回路８０に供給する一方、コンデンサ７５を介してタッチスイッチ１５に接続されており、モータ駆動回路８０はブリッジ整流用ダイオ−ド８１〜８４を介して直流を供給されるモータ駆動用サイリスタ８５を含み、サイリスタドライブ用スイッチングトランジスタ８６のベースに発振回路７０からの発振入力があればサイリスタ８５がターンオフされる一方、発振入力消滅時にはサイリスタ８５が導通して発射モータ２を駆動する電気回路部を有し、遊技者がハンドル１に触れてタッチスイッチ１５がオン作動すると発振回路７０は発振停止し、導通したモータ駆動回路８０のスイッチングトランジスタ８６を介してゲート信号を供給されてサイリスタ８５が導通して発射モータ２が励起される、パチンコ遊技機の発射装置」
　また、引用刊行物の第２図によれば、「電源回路６０」及び「発振回路７０」は接地されている。すなわち両回路は接地ラインにて接続されている。
　    　　　　　　　　　　　　　　　　　　　　　　　　　　　　　　
３．対比・判断　　　　　　　　　　　　　　　　　　　　　
　本願発明と引用発明とを対比すると、引用発明における、「パチンコ遊技機」、「発振回路７０」、「スイッチングトランジスタ８６のベースに発振回路７０からの発振入力があればサイリスタ８５がターンオフされる一方、発振入力消滅時にはサイリスタ８５が導通」、「ハンドル１に触れてタッチスイッチ１５がオン作動すると発振回路７０は発振停止」及び「電気回路部」は、本願発明における、「パチンコ機」、「発振回路」、「発振回路の発振状況に応じてオン・オフ制御されるスイッチング回路」、「人体が触れられたときに発振回路の発振のエネルギーを人体側に逃がす人体接触用端子」及び「検知回路」に、それぞれ対応している。ここで、本願発明における「コンデンサ」は、「発振回路と人体接触用端子との間のライン」上に設けられており、一方引用発明も「発振回路７０」は「コンデンサ７５を介してタッチスイッチ１５に接続され」ているから、本願発明と引用発明とは、発振回路と人体接触用端子（タッチスイッチ）との間のライン上にコンデンサを設けた点で共通している。
　そうすると、両者は以下の点で一致し、また、相違している。　　　　
一致点：
パチンコ機に設けられ、発振回路と、前記発振回路の発振状況に応じてオン・オフ制御されるスイッチング回路と、前記発振回路に接続され、人体が触れられたときに前記発振回路の発振のエネルギーを人体側に逃がす人体接触用端子とを有するパチンコ機用人体接触検知回路において、前記発振回路と人体接触用端子との間のライン上にコンデンサを設けたパチンコ機用人体接触検知回路、の点。
相違点：
a ．本願発明は、発振回路と人体接触用端子との間のラインに抵抗器を設け、前記人体接触用端子に人体が触れられたときにおける該抵抗器による発振のエネルギーの消費により前記発振回路の発振を停止させるよう構成したのに対して、引用発明は本願発明の抵抗器に対応するものを備えていない点。
b．本願発明は、発振回路と人体接触用端子との間のラインと、電源ラインおよび接地ラインとの間に２素子直列のダイオードアレイを設け、前記ライン上の前記抵抗器と２素子直列のダイオードアレイとの間にコンデンサを設けたのに対して、引用発明は本願発明の２素子直列のダイオードアレイに対応するものを備えておらず、発振回路と人体接触用端子（タッチスイッチ）との間のライン上のコンデンサは本願発明のような配置関係となっていない点。
　上記の相違点について検討する。
　まずa．の相違点については、発振回路を備えた人体接触検知回路において、前記発振回路と人体接触用端子との間のラインに抵抗器を設け、前記人体接触用端子に人体が触れられたときにおける該抵抗器による発振のエネルギーの消費により前記発振回路の発振を停止させるよう構成することは周知（原審において例示された下記の周知例１に加え、必要あれば、下記の周知例２及び周知例３を参照）であり、該周知技術を、引用発明における、発振回路と人体接触用端子（タッチスイッチ）との間のラインに適用した点に格別な技術的困難性はない。
【周知例】
周知例１：特開昭５９−１９７９３３号公報（「発振回路１」と「タッチ検　　　　　出電極5a,5b,5c,5d…」との間に設けた「抵抗Ｒe」に関して）
周知例２：特開平２−３７８３０号公報（「発振回路部２」と「アンテナ１　　　　　」との間に設けた「安定化抵抗９」に関して）
周知例３：特開昭５２−５７９７７号公報（「発振回路部１」と「接触端子　　　　　Ｔ」との間に設けた「電圧降下用の抵抗Ｒ２」に関して）
　またb．の相違点については、人体接触検知回路において、人体の接触を検知する検知回路部と人体接触用端子との間のラインと、電源ラインおよび接地ラインとの間に２素子直列のダイオードアレイを設けることは周知（原審において例示された下記の周知例４に加え、必要あれば、下記の周知例５及び周知例６を参照）である。そして引用発明において、人体の接触を検知する検知回路部である発振回路と人体接触用端子（タッチスイッチ）との間のラインと、電源ラインおよび接地ラインとの間に上記周知の２素子直列のダイオードアレイを適用することは当業者が容易に想到することができたものであるとともに、前記発振回路と人体接触用端子（タッチスイッチ）との間のライン上の該２素子直列のダイオードアレイと他の素子との配置関係を、前記抵抗器と２素子直列のダイオードアレイとの間にコンデンサが位置するように配置した点も、該配置関係が同ライン上の発振回路と人体接触用端子（タッチスイッチ）との電気的な発振関係に実質的に影響を及ぼすものでもないので格別な技術的意義は認められず、単なる設計事項にすぎない。
【周知例】
周知例４：実願平１−５４０６９号（実開平２−１４５８２０号）のマイク　　　　　ロフィルム（「ダイオードＤ１、Ｄ２」に関して）
周知例５：特開平２−１０９５８４号公報（「タッチ入力回路１４b」に設　　　　　けたダイオードDA6（３頁左上欄第１７行−左下欄第２行の記載　　　　　及び第１２図）に関して）
周知例６：特開昭５９−１７５２１７号公報（「入力過電圧保護ダイオード　　　　　３１，３２」に関して）
　そして、本願発明の奏する効果も引用発明及び周知技術から予測できる範囲のものであり、格別のものではない。　　　　    　　　　　　　　　
　　　　　　　　　　　　　　　　　　　　　　　　　　　　　　　　　
４．むすび　　　　　　　　　　　　　　　　　　　　　　　　　　　　
　以上のとおりであるから、本願発明は、引用発明及び周知技術に基いて当業者が容易に発明をすることができたものであるので、特許法第２９条第２項の規定により特許を受けることができない。
　よって、結論のとおり審決する。